(57)【要約】【課題】従来の入／切タイマーでは、各タイマー設定時刻の表示位置が固定されているので、現在の運転状態により次に動作するタイマーがどちらになるか解りにくい。【解決手段】現在時刻表示部２０７とは別にタイマー表示部２０８を設け、現在の運転状態により次に動作するタイマー設定時刻を、運転動作と併せて表示するようにしている。例えば、タイマー１の設定が入タイマー６：００、切タイマー９：００、タイマー２の設定が入タイマー１８：００、切タイマー２２：００の時、現在時刻が７：００で運転していた場合、タイマー表示部は「切  ９：００」となり、もし７：００時に手動で運転停止させていた場合、９：００の切タイマーは無効となりタイマー表示部は「入  １８：００」となる。【選択図】図２
2007085919.tif 000002
【特許請求の範囲】
【請求項１】
複数のタイマー時刻を設定する設定手段と、タイマー時刻が予約されたときに、そのタイマー時刻に運転を自動的に停止または開始させる制御手段と、現在時刻を表示する時計表示部と、予約されたタイマー時刻とタイマーの停止／開始の情報を表示するタイマー時刻表示部とを有するタイマー装置において、前記タイマー時刻表示部に次に動作するタイマー時刻と停止／開始の情報を表示することを特徴とするタイマー装置。
【請求項２】
前記タイマー表示部には、順次動作するタイマー時刻と停止／開始の情報を複数並べて表示することを特徴とする請求項１記載のタイマー装置。
【発明の詳細な説明】
【技術分野】
【０００１】
本発明は、空気調和機や暖房器の運転を所望時間経過後に停止または開始させるタイマー時刻の表示方法を改良したタイマー装置に関する。
【背景技術】
【０００２】
従来、この種のタイマー装置は、入タイマーや切りタイマーの時刻を予め設定しておくことで、設定時刻に自動運転や、自動停止できるようになっている（例えば、特許文献１参照）。
【０００３】
また、入・切の組み合わせを複数設定し１日の間に例えば朝６時から９時まで自動運転し、夜１８ 時から２２時まで自動運転するものもある（例えば、特許文献２参照）。
【特許文献１】特開平７−１８０８９４号公報
【特許文献２】特開平４−１１３１３３号公報
【発明の開示】
【発明が解決しようとする課題】
【０００４】
しかしながら、従来の入／切タイマーでは、各タイマー設定時刻の表示位置が固定されているので、現在の運転状態により次に動作するタイマーがどちらになるか解りにくい。例えば、入タイマー６：００、切タイマー２３：００と設定されていた場合、２３時以前に運転を手動で停止させると、２３：００の切タイマーはすでに停止しているので動作せず、また２３時以降に手動で運転すると朝６：００のタイマーも動作しないということになる。
【０００５】
また、複数の時間帯を設定できるタイマーでは、複数の時間帯を表示させるためアナログ時計のように２４時間を１時間毎のセグメントを２４個並べたもので表し、設定された動作時間帯を点灯させて表示させているが、限られた場所で表示させると表示部が小さくなり見にくくなり、見やすくするために表示部を大きくすると全体が大きくなってしまうという問題があった。もし、複数のタイマー設定時間帯を全て表示すると煩雑となりやはり見にくくなってしまい使い勝手が悪くなる。
【課題を解決するための手段】
【０００６】
前記従来の課題を解決するために、本発明のタイマー装置は、現在時刻表示部とは別にタイマー表示部を設け、現在の運転状態により次に動作するタイマー設定時刻を、運転動作と併せて表示するようにしている。例えば、タイマー１の設定が入タイマー６：００、切タイマー９：００、タイマー２の設定が入タイマー１８：００、切タイマー２２：００の時、現在時刻が７：００で運転していた場合、タイマー表示部は「切  ９：００」となり、もし７：００時に手動で運転停止させていた場合、９：００の切タイマーは無効となりタイマー表示部は「入  １８：００」となる。
【発明の効果】
【０００７】
本発明のタイマー装置は、現在の運転状態に応じて次に動作する有効なタイマー動作と時刻を表示するので、複数のタイマーが設定されていてもわかりやすく、間違った設定をしても気が付きやすい。
【発明を実施するための最良の形態】
【０００８】
第１の発明は、複数のタイマー時刻を設定する設定手段と、タイマー時刻が予約されたときに、そのタイマー時刻に運転を自動的に停止または開始させる制御手段と、現在時刻
を表示する時計表示部と、予約されたタイマー時刻とタイマーの停止／開始の情報を表示するタイマー時刻表示部とを有するタイマー装置において、前記タイマー時刻表示部に次に動作するタイマー時刻と停止／開始の情報を表示することを特徴とするタイマー装置である。
【０００９】
これによって、現在の運転状態に応じて次に動作する有効なタイマー動作と時刻を表示するので、複数のタイマーが設定されていてもわかりやすく、間違った設定をしても気が付きやすい。
【００１０】
第２の発明は、特に、第１の発明において、前記タイマー表示部には、順次動作するタイマー時刻と停止／開始の情報を複数並べて表示するものである。
【００１１】
したがって、次のまたその次のタイマー動作も把握できより解かりやすくできる。
【００１２】
（実施の形態１）
図１は、本発明の第１の実施の形態における暖房器の構成を示すブロック図であり、図２はリモコンの外観図である。
【００１３】
図１に示すように、暖房器１０１は熱源部１０２とその運転及び停止を行う暖房器制御部１０３で構成され、暖房器制御部１０３は、リモコン１０４で操作設定された情報により動作するように構成されている。リモコン１０４は、パネル部１０５の表示内容を制御するリモコン制御部１０６と、パネル部１０５に表示を行うための情報や暖房温度の設定値や時刻等を記憶する記憶部１０７と、設定値を入力する入力部１０８を備えている。
【００１４】
また、図２に示すように、入力部１０８は、現在時刻設定、タイマー時刻設定を行う時に設定画面を呼び出すメニュースイッチ２０１と、パネル部１０５に表示される選択肢の中から特定の設定確認項目を選択する選択スイッチ２０２と、選択スイッチ２０２により選択された設定確認項目を確定する確定スイッチ２０３、暖房器の運転及び停止を行う運転スイッチ２０４、タイマー１スイッチ２０５、タイマー２スイッチ２０６とから構成されている。タイマー１スイッチ２０５を操作し運転にすると、あらかじめ設定したタイマー１設定の入／切時刻に運転／停止され、タイマー２スイッチ２０６を操作し運転にすると、あらかじめ設定したタイマー２設定の入／切時刻に運転／停止される。両方運転した場合には、タイマー１設定、２設定の両方の入／切時刻に運転／停止される。パネル部１０５には、時計表示部２０７に現在時刻が表示され、タイマー時刻表示部２０８に次に動作するタイマー時刻と「入」／「切」が併せて表示される。
【００１５】
以上のように構成されたリモコン１０４について、以下その動作、作用を説明する。
【００１６】
図３はタイマー時刻表示部の説明図で、３０１はタイマー１及びタイマー２の時刻設定値で、３０２は、１日の時間軸を表している。３０３はタイマー時刻表示部の値で「入」「切」で表されているのは、時間軸３０２時点の暖房器の運転状態を表している。
【００１７】
タイマー設定値３０１では、タイマー１は、入５：３０、切９：００、タイマー２は、入１８：１０、切２１：４０に設定されている。この時、時間軸３０２のａの区間では、運転が「切」の時Ａの表示となり次の運転はタイマー１の入が有効となり、入 ５：３０の表示となる。もしこの区間で手動で運転が「入」にされた場合はＢの表示となりタイマー１の入は無効となりタイマー１の切が有効となり、切  ９：００の表示となる。ｂからｄの区間についても同様に図３の表示となり、現在「入」の場合は次の「切」のタイマー時刻が有効となるので、タイマー表示部には切時刻が表示され、反対に現在「切」の場合は次の「入」のタイマー時刻が有効となるので、タイマー表示部には入時刻が表示される
。
【００１８】
したがって、現在の運転状態に応じて次に動作する有効なタイマー動作と時刻を表示するので、複数のタイマーが設定されていてもわかりやすく、間違った設定をしても気が付きやすい。
【００１９】
（実施の形態２）
第１の実施の形態では、複数設定されたタイマー時刻の中で次に動作するタイマー時刻を表示したものである。
第２の実施の形態では、図４のように、さらにその次のタイマー時刻を表示することで、その次のタイマー動作も把握できより解かりやすくできる。
【００２０】
なお、第２の実施の形態では次のタイマー時刻設定を２個表示したが３個以上表示してもよい。例えば、設定有効なタイマー時刻をすべて表示することで設定もれが無いかどうかを確認できる。
【産業上の利用可能性】
【００２１】
以上のように、本発明にかかるタイマー装置は、空気調和機や暖房器の運転／停止タイマー装置として適用可能である。
【図面の簡単な説明】
【００２２】
【図１】本発明の実施の形態の暖房器の構成を示すブロック図
【図２】同実施の形態のリモコンの外観図
【図３】同実施の形態のタイマー時刻表示部の説明図
【図４】同実施の形態のタイマー時刻表示部の説明図
【符号の説明】
【００２３】
１０５  パネル部
１０６  リモコン制御部
１０８  入力部
２０７  時計表示部
２０８  タイマー時刻表示部
【図１】
2007085919.tif 000003
【図３】
2007085919.tif 000004
【図４】
2007085919.tif 000005
【図２】
2007085919.tif 000006